(57)【特許請求の範囲】
【請求項１】
支持部材（２）と、該支持部材（２）に固定され、ビデオ写真装置を受けるように意図され、前記ビデオ写真装置を支持プレート（３）に引っ掛けるためのフック手段（４）が設けられた該支持プレート（３）と、水平面に対する前記ビデオ写真装置の位置決めを示すのに適し、対応する固定対向手段（７）と協働するように配置された固定手段（６）が設けられた水平指示器（５）とを備え、
前記固定対向手段（７）が、前記水平指示器（５）を前記支持プレート（３）に固定するために、前記支持プレート（３）上に設けられ、前記固定手段（６）および前記固定対向手段（７）が、前記水平指示器（５）が前記支持プレート（３）上の少なくとも２つの異なる位置に固定され得るように構成され、前記位置が互いから適切に離間され、前記固定対向手段（７）が、前記支持プレート（３）の周辺部（３ａ）上に画定される、ビデオ写真装置用スタンド（２０）であって、
前記固定対向手段（７）が、前記支持プレート（３）の全周（３ａ）に沿って延在することを特徴とする、ビデオ写真装置用スタンド（２０）。
【請求項２】
前記水平指示器（５）が、前記少なくとも２つの異なる位置の間を前記周辺部（３ａ）の一部に沿って移動され得るように、前記固定対向手段（７）が、前記周辺部（３ａ）の前記一部に沿って延在する、請求項１に記載のスタンド。
【請求項３】
前記固定対向手段（７）が、前記支持プレート（３）の前記周辺部（３ａ）の少なくとも一部に沿って画定された溝（８）を備え、前記固定手段（６）が、前記水平指示器（５）が前記溝（８）に沿ってスライドすることを可能にするように、前記溝（８）に形状結合方法で結合されるように構成された、請求項１から２のいずれか１項に記載のスタンド。
【請求項４】
前記支持プレート（３）上に前記水平指示器（５）を正確に位置決めするためのセンタリングデバイスをさらに備え、前記溝（８）の輪郭が、前記水平指示器（５）のためのセンタリングデバイスとして作用するように「∨」状の形状である、請求項３に記載のスタンド。
【請求項５】
前記水平指示器（５）が、水平指示デバイス（５ａ）を安定して受けることができるハウジング部材（５０）と、該ハウジング部材（５０）に対して両側に延在し、前記水平指示器（５）を前記支持プレート（３）に固定するために該支持プレート（３）の周辺部（３ａ）の相当な部分にわたって延在するように構成された一対の固定アーム（６６）とを備える、請求項１から４のいずれか１項に記載のスタンド。
【請求項６】
前記水平指示器（５）が、前記支持プレート（３）上の前記水平指示器（５）の安定した位置決めを可能にするために、該少なくとも１つのフック部（６８、６９）が前記溝（８）内に形状結合で受けられ得るように前記溝（８）の「∨」状の輪郭に対応する輪郭を有する少なくとも１つのフック部（６８、６９）を備える、請求項４に従属する請求項５に記載のスタンド。
【請求項７】
前記水平指示器（５）を前記支持プレート（３）上に保持するように配置された保持部材（１０）をさらに備える、請求項１から６のいずれか１項に記載のスタンド。
【請求項８】
前記保持部材（１０）が弾性ストリップの形態であり、前記水平指示器（５）が使用中に前記支持プレート（３）と前記保持部材（１０）との間に置かれるように、前記水平指示器（５）に対して外部に位置決めされるように構成された、請求項７に記載のスタンド。
【請求項９】
前記保持部材（１０）が、エラストマ材料から製造された弾性変形可能な材料から構築された、請求項７または８に記載のスタンド。
【請求項１０】
前記保持部材（１０）が、前記水平指示器（５）に対して外部に位置決めされることが意図された側部（１０ａ）と、使用中、前記水平指示器（５）と該スタンド（２０）内の前記支持部材（２）のスライド受けキャビティとの間に置かれ得る下部（１０ｂ）とを備える、請求項７から９のいずれか１項に記載のスタンド。
【請求項１１】
保持部材（１０）が、前記水平指示器（５）に対して外部に位置決めされることが意図された側部（１０ａ）と、使用中、前記水平指示器（５）と該スタンド（２０）内の前記支持部材（２）のスライド受けキャビティとの間に置かれ得る下部（１０ｂ）とを備える、請求項６から８のいずれか１項に記載のスタンド。
【請求項１２】
支持部材（２）と、該支持部材（２）に固定され、ビデオ写真装置を受けるように意図され、前記ビデオ写真装置を支持プレート（３）に引っ掛けるためのフック手段（４）が設けられた支持プレート（３）と、前記支持部材をビデオ写真装置用スタンド（２０）に結合するための結合手段と、水平面に対する前記ビデオ写真装置の位置決めを示すのに適した水平指示器（５）とを備え、
前記水平指示器（５）が、対応する固定対向手段（７）と協働するように配置された固定手段（６）を備え、
前記固定対向手段（７）が、前記水平指示器（５）を前記支持プレート（３）に固定するために、前記支持プレート（３）上に設けられ、前記固定手段（６）および前記固定対向手段（７）が、前記水平指示器（５）が前記支持プレート（３）上の少なくとも２つの異なる位置に固定され得るように構成され、前記位置が互いから適切に離間され、前記固定対向手段（７）が、前記支持プレート（３）の周辺部（３ａ）上に画定されるビデオ写真装置用支持部材であって、
前記固定対向手段（７）が、前記支持プレート（３）の全周（３ａ）に沿って延在することを特徴とする、ビデオ写真装置用支持部材。
【発明の詳細な説明】
【技術分野】
【０００１】
本発明は、主請求項の前段に記載の特徴を有する、一般にスタンドと呼ばれる、ビデオ写真装置用支持デバイスに関する。
【０００２】
スタンドは、三脚もしくは一脚、または一般的に、ビデオ写真装置の使用中に使用されるビデオ写真装置用の支持体であってよい。
【背景技術】
【０００３】
ビデオ写真装置は、多くの場合、記録動作中にこれらの装置を安定かつ安全な方法で支持するように意図された、一般にスタンドとして知られる適切な支持体上に取り付けられる。その際、スタンドは、記録を行うために、地面または別の望ましい支持面上に支持され得る。  
ビデオ写真装置の使用中、多くの場合、使用される装置が水平面に配置されているか、または水平面に対して傾斜しているかをオペレータが確認する必要性がある。  
したがって、ビデオ写真装置のヘッド、および／またはビデオ写真装置自体に、水平基準面に対する装置の傾きを示すのに適した、または装置が水平に配置されているかどうかを示すための、アルコール水準器、または水平を示すための他のデバイス、例えばデジタル水準器を設けられることがある。
【０００４】
しかしながら、小さい寸法を有する一部の装置、例えば、いわゆる小型装置では、装置自体に水平指示器のための適切な受け部材を見つけることが困難な場合がある。  
さらに、いくつかの状況では、水平指示器がヘッドに設けられているとき、例えば、ビデオ写真装置またはそのアクセサリが、水準器の領域またはユーザが水準器自体を正確に読み取ることから妨げるような位置に位置決めされる可能性があるので、指示器自体の使用が困難な場合がある。  
この欠点は、例えば、その位置決め時の装置および／またはヘッドの移動の結果として生じる可能性がある。  
そのような場合、ビデオ写真装置の正確な位置決めが損なわれ、行われる記録の品質が低下する。  
さらに、そのような解決策では、ビデオ写真装置の水平性に関する指標を有するために、水平指示デバイスが設けられたヘッドを使用することが確実に必要となる。  
所望の方法で位置決めするためおよび／または記録を行うために移動されるヘッドおよび／または移動される装置によって水準器を覆う可能性があり、ユーザによるその正確および／または容易な読み取りを妨げるので、使用中に指示器を読み取るまたは指示器を覆うことの困難を伴う同じ問題は、水平指示器がスタンドに固定されたときにも生じる可能性がある。  
さらに、ヘッドのタイプを変更することによって当然その形態が変更されるため、特定のヘッドは、水準器を覆う可能性があり、またはユーザが読み取るのを困難にする可能性がある。
【発明の概要】
【０００５】
本発明の目的は、ビデオ写真装置の正確な位置決めを可能にし、水準器または他の水平指示デバイスの簡単で便利な使用を可能にするスタンドを提供することである。  
本発明によって対処される課題は、引用した従来技術を参照して上述した欠点を克服するビデオ写真装置用スタンドを提供することである。  
この課題の文脈では、本発明の目的は、製造するのが簡単で低コストであり、同時に、それに関連するビデオ写真装置の位置決めの精度の高いレベルを可能にするスタンドを開発することである。  
別の目的は、水平指示器がビデオ写真装置のできるだけ近くに位置決めされるが、同時に、装置自体のすべての使用状況で可視であるスタンドを提供することである。  
添付の特許請求の範囲によって構築されるスタンドによる本発明によって、この問題は解決され、この目的は達成される。  
本発明の特徴および利点は、添付の図面を参照して非限定的な例として示されるその好ましい実施形態の詳細な説明からよりよく理解されるであろう。
【図面の簡単な説明】
【０００６】
【図１】本発明によるビデオ写真装置用スタンドの概略図。
【図２】図１のスタンドの一部の概略斜視図。
【図３】図２のスタンドの一部の概略分解組立図。
【図４】図２のスタンドの一部の概略分解組立図。
【図５】図２のスタンドの一部の概略分解組立図。
【図６】図２のスタンドの一部の断面図。
【図７】図１のスタンドの細部の斜視図。
【発明を実施するための形態】
【０００７】
添付の図面は、添付の図面に示されないビデオ写真装置のためのスタンド２０を示し、スタンドは、本発明によって構築される。  
図示の変形例では、スタンドは三脚であるが、本発明の他の変形例では、異なる形態を有するスタンド、例えば一脚が提供され得る。  
「スタンド」という用語は、本特許明細書の文脈では、ビデオ写真装置をその使用中に支持するのに適しており、そのようなビデオ写真装置を支持するための一般的な構造であると理解されることが意図される。  
スタンド２０は、地面または所望の支持面上のスタンド２０の安定した支持を可能にするために、図には示されていない複数の開いた位置と、支持脚２２が互いに平行に配置された図１に示す閉じた位置Ｘとの間で移動可能な３つの支持脚２２に回転可能に固定されたスパイダ接続要素２１を備える。  
支持脚２２は、その長さを変化させることができるように伸縮自在であってよく、さらに、各支持脚２２は、各支持脚２２をスパイダ接続要素２１に対して所定の位置にロックすることができるそれぞれのロック要素２４を設けられる。  
スパイダ接続要素２１は、以下により詳しく説明するように、管状支持部材２をスライド式に受けることができる受けキャビティと、スパイダ接続要素２１に対する支持部材２のスライドを可能にする／防止するように作動され得るロックデバイス２５とを備える。
【０００８】
図２〜図６でより明瞭に見ることができる支持部材２は、管状のものであり、その位置を調整するためにスタンド２０の受けキャビティ内にスライド可能に挿入されるように形成される。  
支持部材２は、プレート３および水平指示器５が設けられた支持部材２がスタンドに結合されることを可能にする結合手段を設けられる。  
支持部材２は、使用中、地面に向かって、または地面上（もしくは任意の所望の支持面上）の支持脚２２の支持部分に向かって向けられるように配置された自由端部２ａと、図面では見ることができない、使用中、ビデオ写真装置を支持するように意図されたプレート３が固定された反対側の端部とを備える。  
プレート３には、ビデオ写真装置をプレート３自体に安定して引っ掛けるためのフック手段４が設けられる。  
プレート３は、図示の変形例では、円形のものであるが、プレートが完全に円形ではない形状を有するデバイス、例えば、複数の曲線、卵形、または多角形部分によって形成された周囲を有する支持プレートが構築されてもよい。  
さらに、スタンド２０の支持部材２上に、水平面に対するビデオ写真装置の位置決めを示すことができる水平指示器５を設けられる。
【０００９】
図３〜図６でより明瞭に見ることができる水平指示器５は、スタンド２０のユーザに、プレート３に引っ掛けられたビデオ写真装置が水平面に対して平行に位置決めされているかどうか、または、代わりに装置が水平面に対して傾斜しているかどうかを示す。  
水平指示器５は、水準器５ａと、水平指示器５をプレート３に安定して固定するためにプレート３に設けられた固定対向手段７と協働するように配置された固定手段６とのためのハウジング本体５０を備える。  
図示の変形例では、水平指示器５は、指示器要素としてアルコール水準器を使用するが、図示されていない他の変形例では、水平面に対するプレート３の位置を示す、例えば、デジタル水準器ディスプレイなどの、他の適切な指示器要素が設けられてもよい。  
固定手段６および固定対向手段７は、ユーザが水平指示器５をプレート３上に安定して、互いに離間された少なくとも２つの異なる位置に位置決めすることを可能にするように形成される。  
そのようにして、以下により詳細に説明するように、水平指示器５が部分的に覆われるのを防止する、もしくは、その視認性が、例えば、本発明の支持デバイス１に使用されるヘッド、および／もしくは本発明の支持デバイス１に固定された装置によって損なわれるのを防止するために、または、水平指示器５がビデオ写真装置に支障を及ぼすのを防止するために、水平指示器５を所望の位置に位置決めすることができる。
【００１０】
さらに、本発明のスタンド２０では、水平指示器５は、プレート３に安定して固定され、ビデオ写真装置の水平状態を示すために、ビデオ写真装置に非常に近接して位置決めされる。  
したがって、指示の精度は、非常に高い。  
同時に、固定手段６および固定対向手段７の形態は、ビデオ写真装置自体のすべての使用状況で、水平指示器５を可視かつ容易に視認できるようにする。  
固定対向手段７は、水平指示器５がプレート３の周辺部３ａに画定された少なくとも２つの異なる位置に位置決めされ得るように、プレート３の周辺部３ａに設けられる。固定対向手段７は、水平指示器５が周辺部３ａ上の所望の位置に位置決めされるために固定対向手段７に沿って移動され得るように、プレート３の周辺部３ａの少なくとも１つの区間「Ｄ」に沿って延在する。  
図示の変形例では、円形であるプレートにより、固定対向手段７は、少なくとも約４５°の角度に対応する円周を有する円弧の上に延在する。
【００１１】
水平指示器５は、少なくとも２つの異なる位置の間で移動させるために固定対向手段７が設けられた周辺部３ａの区間「Ｄ」に沿った固定対向手段７に沿って移動され得る。
【００１２】
固定対向手段７は、プレート３の周辺部３ａ上に画定された複数の別個の固定要素を任意に備えることができ、各固定要素は、隣接する固定要素から適切に離間されている。そのようにして、水平指示器５は、水平指示器５の読み取りを損なう可能性があるどのような障害も防止するように、プレートの適切な区域に設けられた固定要素を選択することによって、所望の固定要素に固定され得る。
【００１３】
複数の固定要素の各固定要素は、プレート３の周辺部３ａのそれぞれの区域の上に任意に延在することができる。そのようにして、水平指示器５は、さらに、プレート３の周辺部３ａの所望の位置に位置決めさせるために、各固定要素に沿って移動され得る。これは、プレート３上の水平指示器５の位置決めの多様性を高めることを可能にする。
【００１４】
固定手段６および固定対向手段７は、水平指示器５のプレート３への安定した固定を可能にするために、形状結合で互いに結合するように形成される。  
図示の変形例では、固定対向手段７は、プレート３の周辺部３ａ全体に沿って延在する溝８を備え、固定手段６は、水平指示器５をプレート３の任意の所望の位置に安定して固定するために、溝８内に形状結合で挿入されるように形成される。
【００１５】
プレート３の外周３ａ全体に沿って溝８を設けることによって、水平指示器５をプレート３上の任意の所望の位置に固定することができ、必要ならば、水平指示器５をプレート３の外周３ａ全体に沿って移動させることができる。  
これは、水平指示器５の視認性をさらに高め、ユーザによるその読み取りをさらに容易にすることを可能にする。  
したがって、得られるスタンド２０の汎用性が向上される。
【００１６】
図示されていない他の変形例では、固定対向手段７は、複数の溝付き要素を備え、複数の溝付き要素の各溝付き要素は、プレート３の周辺部３ａの適切な区域の上に延在し、２つの隣接する溝付き要素は、適切な部分によって互いに離間される。  
その場合、固定手段６は、水平指示器５をプレート３上の任意の所望の位置に安定して固定するために、各溝付き要素内に形状結合で挿入されるように形成される。さらに、水平指示器５は、各溝付き要素に沿って移動され得る。その場合、ユーザは、使用されるヘッドまたはビデオ写真装置の形態に応じて、水平指示器５を所望の溝付き要素上に位置決めし、必要ならば、水平指示器５がユーザによって容易に読まれるように、水準器５ａを要求されるどこにでも位置決めするために事前に選択された溝付き要素に沿って水平指示器５を移動させる。
【００１７】
溝８または複数の溝付き要素を備えることは、スタンド２０のプレート３が円形もしくは楕円形のものであるとき、または、水平指示器５のすべての周辺部３ａ上、もしくは周辺部３ａの一部の上の移動を可能にするように実質的に湾曲した外周を有するとき、特に適している。  
図示の変形例では、溝８は、図３および図６でより明瞭に見ることができ、「∨」の形の輪郭を有する。  
溝８の「∨」状の輪郭は、プレート３上の水平指示器５の正確な位置決めを可能にし、実際には、溝８の「∨」状の輪郭は、水平指示器５のためのセンタリング要素として作用する。  
これは、水平面に対するその望ましくない傾きを防止することによって、水平指示器５の正確な位置決めを可能にする。
【００１８】
図面には示されていないスタンド２０の他の変形例では、スタンド２０に設けられた固定手段６および固定対向手段７のタイプに適した方法で選択された様々な形態のセンタリング要素が設けられ得、センタリング要素は、プレート３上の水平指示器５の正確な位置決めを可能にするのに適している。  
図示の変形例では、水平指示器５の固定手段６は、一対の固定アーム６６を備え、一対の固定アーム６６は、受け部材５０から両側に延在し、使用中、プレート３の周辺部３ａのかなりの領域にわたって延在するように形成される。  
図示の変形例では、アーム６６は、２つのアーム６６の対向する自由端部６７が、使用中、好ましくは１〜２０ｍｍの間の距離「Ｄ」だけ離間されるように形成される。  
図示の変形例では、各アーム６６は、図７でよく見ることができる、溝８に嵌合結合で受けられるように溝８の「∨」状輪郭に対応する輪郭を有する少なくとも１つのフック部６９を有する。  
追加のフック部６８は、受け部材５０の領域に設けられ、追加のフック部６８は、溝８と嵌合結合で結合されるように形成され、プレート３上の水平指示デバイス５の位置決めの安定性および精度がさらに向上されることを可能にする。
【００１９】
図示されていない他の変形例では、各アーム６６は、水平指示器５の安定した位置決めおよびそのセンタリングを可能にするために、アーム６６が溝８内に嵌合結合で受けられ得るように、各アーム６６の長さ全体、またはその相当な部分にわたって延在する、溝８の「∨」状輪郭に対応する輪郭を有する。  
アーム６６の輪郭、またはフック部６９および／もしくは追加のフック部６８の輪郭は、この場合、水平指示器５をプレート３に固定するために、固定手段として作用し、溝の「∨」状輪郭と共に、プレート３上の水平指示器５のためのセンタリング要素として作用する。
【００２０】
図示されていない他の変形例では、水平指示デバイス５をプレート３に固定するための様々な固定手段、例えば、クリップタイプ構造などが設けられてもよく、プレート３の固定対向手段７は、水平指示器が互いから適切に離間されたプレート３上の少なくとも２つの異なる位置に位置決めされ得るように、使用されている固定手段６に対応するように選択される。  
スタンド２０は、弾性ストリップの形態であり、水平指示器５に対して外部に位置決めされるように、または、使用中、水平指示器５がプレート３の周辺部３ａと保持部材１０との間に置かれるように配置された保持部材１０をさらに備える。
【００２１】
図６および図７でより明瞭に見ることができる保持部材１０は、水平指示器５がプレート３上の予め選択された位置に安定して保持されることを可能にし、垂直に対する移動を、もしくは、水平指示器５が溝８を離れるのを防止し、または、一般的には、固体手段６と固定対向手段７との間で離脱が起こるのを防止する。  
保持部材１０は、弾性材料、好ましくはエラストマ材料から製造され、したがって、わずかに変形され得る。  
したがって、保持部材１０は、水平指示器５をプレート３自体から除去することなく、水準器５ａをプレート３上の所望の位置に位置決めするように、水平指示器５を溝８に沿ってスライドさせることによって、水平指示器５の移動を可能にする。
【００２２】
保持部材１０は、水平指示器５のアーム６６に対して外部に位置決めされることが意図された側部１０ａと、使用中、アーム６６の下に位置決めされ得る、または、アーム６６とスパイダ要素２１、もしくはスタンド２０の別のジョイント要素との間に置かれ得る下部１０ｂとを備える。  
そのようにして、保持部材１０の下部１０ｂは、いかなる不測の衝撃からも水平指示器５を保護する。  
スタンド２０が閉じられたとき、下部１０ｂは移動してスパイダ要素２１に当接し、水平指示器５がスパイダ要素２１に、またはスタンドの任意の他のジョイント型要素に衝突することを防止する。保持部材１０の下部１０ｂは、水平指示器５に損傷を与える可能性があるいかなる打撃または衝撃からも水平指示器５を保護する。
【００２３】
さらに、保持部材１０は、弾性材料から製造されるので、いかなる打撃も、弾性材料自体によって吸収され、水平指示器５への影響を防止する。
図示されていない他の変形例では、同じ水平指示器５がユーザの要求に応じて異なるスタンドで使用され得るように、支持部材２は、プレート３および水平指示器５が設けられた支持部材２が異なるスタンドに結合されるのを可能にすることができる異なる結合手段を設けられ得る。そのようにして、ユーザは、水平指示器５が設けられた支持部材２０を提供され、それを時々特定のスタンドに結合する。そのようにして、ユーザは、様々なスタンドで正確な記録を行うことができ、全体的な支出を大幅に制限する。
以下に、出願当初の特許請求の範囲に記載の事項を、そのまま、付記しておく。
［１］
支持部材（２）と、該支持部材（２）に固定され、ビデオ写真装置を受けるように意図され、前記ビデオ写真装置を該支持プレート（３）に引っ掛けるためのフック手段（４）が設けられた支持プレート（３）と、水平面に対する前記装置の位置決めを示すのに適し、対応する固定対向手段（７）と協働するように配置された固定手段（６）が設けられた水平指示器（５）とを備え、
前記固定対向手段（７）が、前記水平指示器（５）を前記支持プレート（３）に固定するために、前記支持プレート（３）上に設けられ、前記固定手段（６）および前記固定対向手段（７）が、前記水平指示器（５）が前記支持プレート（３）上の少なくとも２つの異なる位置に固定され得るように構成され、前記位置が互いから適切に離間された、ビデオ写真装置用スタンド（２０）であって、
前記固定対向手段（７）が、前記支持プレート（３）の周辺部（３ａ）上に画定されたことを特徴とする、ビデオ写真装置用スタンド（２０）。
［２］
前記水平指示器（５）が、前記少なくとも２つの異なる位置の間を前記周辺部（３ａ）の一部に沿って移動され得るように、前記固定対向手段（７）が、前記周辺部（３ａ）の前記一部に沿って延在する、［１］に記載のスタンド。
［３］
前記固定対向手段（７）が、前記支持プレート（３）の全周（３ａ）に沿って延在する、［１］または［２］に記載のスタンド。
［４］
前記固定対向手段（７）が、前記支持プレート（３）の前記周辺部（３ａ）の少なくとも一部に沿って画定された溝（８）を備え、前記固定手段（６）が、前記水平指示器（５）が前記溝（８）に沿ってスライドすることを可能にするように、前記溝（８）に形状結合方法で結合されるように構成された、［１］から［３］のいずれか１項に記載のスタンド。
［５］
前記支持プレート（３）上に前記水平指示器（５）を正確に位置決めするためのセンタリングデバイスをさらに備え、前記溝（８）の輪郭が、前記水平指示器（５）のためのセンタリングデバイスとして作用するように「∨」状の形状である、［４］に記載のスタンド。
［６］
前記水平指示器（５）が、水平指示デバイス（５ａ）を安定して受けることができるハウジング部材（５０）と、該ハウジング部材（５０）に対して両側に延在し、前記水平指示器（５）を前記支持プレート（３）に固定するために該支持プレート（３）の周辺部（３ａ）の相当な部分にわたって延在するように構成された一対の固定アーム（６６）とを備える、［１］から［５］のいずれか１項に記載のスタンド。
［７］
前記水平指示器（５）が、前記支持プレート（３）上の前記水平指示器（５）の安定した位置決めを可能にするために、該少なくとも１つのフック部（６８、６９）が前記溝（８）内に形状結合で受けられ得るように前記溝（８）の「∨」状の輪郭に対応する輪郭を有する少なくとも１つのフック部（６８、６９）を備える、［５］に従属する［６］に記載のスタンド。
［８］
前記水平指示器（５）を前記支持プレート（３）上に保持するように配置された保持部材（１０）をさらに備える、［１］から［７］のいずれか１項に記載のスタンド。
［９］
前記保持部材（１０）が弾性ストリップの形態であり、前記水平指示器（５）が使用中に前記支持プレート（３）と前記保持部材（１０）との間に置かれるように、前記水平指示器（５）に対して外部に位置決めされるように構成された、［８］に記載のスタンド。
［１０］
前記保持部材（１０）が、エラストマ材料から製造された弾性変形可能な材料から構築された、［８］または［９］に記載のスタンド。
［１１］
前記保持部材（１０）が、前記水平指示器（５）に対して外部に位置決めされることが意図された側部（１０ａ）と、使用中、前記水平指示器（５）と該スタンド（２０）内の前記支持部材（２）のスライド受けキャビティとの間に置かれ得る下部（１０ｂ）とを備える、［８］から［１０］のいずれか１項に記載のスタンド。
［１２］
前記保持部材（１０）が、前記水平指示器（５）に対して外部に位置決めされることが意図された側部（１０ａ）と、使用中、前記水平指示器（５）と該スタンド（２０）内の前記支持部材（２）のスライド受けキャビティとの間に置かれ得る下部（１０ｂ）とを備える、［７］から［９］のいずれか１項に記載のスタンド。
［１３］
支持部材（２）と、該支持部材（２）に固定され、ビデオ写真装置を受けるように意図され、前記ビデオ写真装置を支持プレート（３）に引っ掛けるためのフック手段（４）が設けられた支持プレート（３）と、前記支持部材をビデオ写真装置用スタンド（２０）に結合するための結合手段と、水平面に対する前記装置の位置決めを示すのに適した水平指示器（５）とを備え、
前記水平指示器（５）が、対応する固定対向手段（７）と協働するように配置された固定手段（６）を備え、前記固定対向手段（７）が、前記水平指示器（５）を前記支持プレート（３）に固定するために、前記支持プレート（３）上に設けられ、前記固定手段（６）および前記固定対向手段（７）が、前記水平指示器（５）が前記プレート（３）上の少なくとも２つの異なる位置に固定され得るように構成され、前記位置が互いから適切に離間された、ビデオ写真装置用支持部材であって、前記固定対向手段（７）が、前記支持プレート（３）の周辺部（３ａ）上に画定されたことを特徴とする、ビデオ写真装置用支持部材。
【図１】
0005908660.tif 000002
【図２】
0005908660.tif 000003
【図３】
0005908660.tif 000004
【図４】
0005908660.tif 000005
【図５】
0005908660.tif 000006
【図６】
0005908660.tif 000007
【図７】
0005908660.tif 000008